(57)【要約】【課題】食品等の物品を、容易に掴み取ることが可能な包装袋を提供する。【解決手段】包装袋１は、上端２ｃ側が開放され裏返すことで内部に食品Ｓが収容される軟質の袋本体２と、袋本体２の底部２ｄから延設されるとともに、手Ｈの指Ｙの輪郭形状に象られ、袋本体２の中から手Ｈの指Ｙを挿入することが可能な袋状の指挿入部３とを具備する。これによれば、食品Ｓを手Ｈで直接握るように、掴み取ることができ、食品Ｓの掴み易さを大幅に高めることができる。また、指挿入部３同士の間から食品Ｓの形態を視認することができ、手探りでの操作をなくし、使用者に安心感を与えることができる。【選択図】図２
0003171127.tif 000002
【実用新案登録請求の範囲】
【請求項１】
上端側が開放され裏返すことで内部に物品が収容される軟質の袋本体と、
該袋本体の底部側から延設されるとともに、手の指の輪郭形状に象られ、前記袋本体の中から手の指を挿入することが可能な袋状の指挿入部と
を具備することを特徴とする包装袋。
【請求項２】
前記指挿入部は、
前記袋本体の側部から延設され、親指が挿入される側部側挿入部と、
前記袋本体の底部から延設され、前記親指以外の四本の指が夫々挿入される四つの底部側挿入部と
からなることを特徴とする請求項１に記載の包装袋。
【考案の詳細な説明】
【技術分野】
【０００１】
本考案は、包装袋に関するものであり、特に、食品店でパンや惣菜等の食品を選び取る際に使用される包装袋に関するものである。
【背景技術】
【０００２】
例えば、スーパーマーケットにおける惣菜の売り場では、トレー上に各種の惣菜が並べられており、購入者は、好みの惣菜をトング（挟み具）で挟み取って、手元の容器（例えばポリパック）に入れ、レジまで持参する方法が取られている（特許文献１参照）。また、パンの売り場でも同様に、棚や台の上に各種のパンが並べられており、購入者は、好みのパンを一つずつトングで挟み取りながら、別の手に持ったトレー上に載せ、レジまで持参する方法が取られている。
【０００３】
しかし、このようにトングによって食品を挟み取る方法では、食品に挟持力が加わるため、例えばパンやコロッケ等、比較的柔らかい食品の場合には、潰れたりくずれたりするおそれがあった。なお、挟む力を弱くすれば、食品の破損を低減することができるが、これによれば、食品を安定した状態で保持することが困難となり、トレーや容器に移す前に落下する可能性が生じる。これは、トングを使用した場合、食品の触感が指先に伝わらず、力加減を細かく調整することができないことに起因している。また、潰れたりくずれたりすることのない食品であっても、その食品が比較的小さな場合または滑りやすい場合には、トングを用いてその食品を選び取ることが困難となっていた。
【０００４】
また、同じ種類の惣菜を複数個購入する場合には、それらの惣菜をまとめて挟み取れれば、一度の操作で容器等に移すことが可能になるが、この方法では、惣菜を挟み取る際の不安定さが増し、一層強い挟持力が必要となることから、食品が破損する可能性が高くなる。
【０００５】
一方、野菜や魚の売り場では、通常、包装袋（例えばビニール袋）が用意されており、各種野菜や各種魚類を、必要な数だけ包装袋に入れ持ち運ぶことが可能になっている。なお、魚類は、表面が滑りやすく、しかも野菜のように手で直接掴むことができないため、以下の方法が取られている。すなわち、まず、包装袋の中に手を入れ、包装袋を介して魚類を掴み、その後、魚類を掴んだまま包装袋を裏返すことにより、魚類を包装袋の中に収容する方法である。これによれば、手を汚すことなく、またトング等の挟み具を用いることなく、魚類を選び取ることが可能になる。
【考案の概要】
【考案が解決しようとする課題】
【０００６】
しかし、上記の方法で用いられる包装袋は、一般に汎用の袋（長方形のビニール袋）がそのまま使用されているため、食品の掴み易さに欠けていた。詳しく説明すると、食品を掴む際にはまず包装袋の中に手が入れられるが、包装袋の中では各指が包装袋と係わりなく動き、しかもそれらの指は包装袋に対して滑り易いことから、食品を掴み損ねるおそれがあった。
【０００７】
また、包装袋に挿入された各指の間には、包装袋の一部分が水掻きのように存在するため、掴もうとする食品が遮蔽されてしまい、食品の形状や個数、または掴んだ食品の変形具合等を視覚的に把握することが困難となっていた。このため、手探りで掴むこととなり、掴み取り難さが助長されていた。
【０００８】
さらに、隣合う指同士の間に食品を通したり、指同士の間で食品を挟んだりすることができず、また、包装袋の中では指を動かせる範囲が制限されるため、手で直接食品を掴み取るような自由さはなく、細かな操作、例えば、指先で食品の個数を数えながら（すなわち食品を一つずつ指でかき寄せながら）、所望の個数の食品をまとめて掴み取るような操作はできなかった。
【０００９】
そこで、本考案は、上記の実状に鑑み、食品等の物品を、容易に掴み取ることが可能な包装袋の提供を課題とするものである。
【課題を解決するための手段】
【００１０】
本考案にかかる包装袋は、
「上端側が開放され裏返すことで内部に物品が収容される軟質の袋本体と、
該袋本体の底部側から延設されるとともに、手の指の輪郭形状に象られ、前記袋本体の中から手の指を挿入することが可能な袋状の指挿入部と
を具備する」
ことを特徴とするものである。
【００１１】
ここで、「袋本体」は、軟質で裏返すことが可能なものであればよく、材質としては、例えばポリ塩化ビニル、またはポリエチレンを挙げることができる。また、「袋本体」は、透明でも不透明でもよい。さらに、「袋本体」の形状も特に限定されるものではなく、例えば上端側に取手部を備えるもの、または上端側を閉鎖するチャック付きのものであってもよい。
【００１２】
また、本考案が適用される「物品」としては、特に限定されるものではないが、未包装の状態で、且つ購入者に選び取らせる形態で販売される食品に対して適用することが可能である。特に、パンや惣菜のように選び取る際に潰れたりくずれたりし易い食品、魚類のように表面が滑りやすい食品に対しては好適に適用することができる。
【００１３】
また「指挿入部」は、親指から小指まで五本の指が夫々別々に挿入されるように構成されていればよく、例えば、五本の指挿入部を袋本体の底部から延設してもよく、手全体が挿入される手袋状の手挿入部を袋本体の底部に設け、その手挿入部の一部を指挿入部としてもよい。
【００１４】
また、「袋本体の底部側」の概念には、袋本体の底部だけではなく、底部近傍の側部も含まれる。なお、袋本体が前側シート及び後側シートのみからなり底面及び側面を有しない袋である場合には、底縁が底部の概念に含まれ、側縁、前面シート、及び後面シートが側部の概念に含まれる。
【００１５】
本考案によれば、まず、袋本体の中に手を入れ、さらに、その奥（底部側）に形成された指挿入部に五本の指をそれぞれ挿入する。そして、袋本体及び指挿入部を介して、食品等の物品を手で掴み取る。この際、使用者の指は指挿入部に挿入されているため、各指が包装袋にフィットした状態となり、包装袋の中で滑ることなく、物品を掴むことが可能になる。特に、それぞれの指挿入部は互いに分かれているため、各指を夫々別々に動かすことができ、また指挿入部同士の間に物品を通したり指挿入部同士の間で物品を挟んだりすることも可能になる。このため、物品を手で直接握るように、掴み取ることが可能になり、物品の掴み易さを大幅に高めることができる。さらに、指挿入部同士の間から物品の形態を視認することができるため、手探りでの操作をなくし、使用者に安心感を与えることが可能になる。
【００１６】
なお、物品を掴み取った後は、包装袋の上端側をめくり上げるように、物品を中心に包装袋を裏返す。すると、物品が袋本体の中に収容された状態となる。また、指の力を抜き、包装袋の上端側をさらにめくり上げれば、各指が指挿入部から自然に抜け、包装袋を持ち運ぶことが可能になる。
【００１７】
ところで、人間の手は、指先を上に向けた場合、親指の付け根の部分が、他の指の付け根の部分よりも低くなっている。このため、親指が挿入される指挿入部の根元部分を、袋本体の底部に位置させた場合には、親指以外の指が挿入される指挿入部を底部から離れた位置とする必要がある。すなわち、袋本体の底部から延設された部分を手の平や手の甲が挿入されるように手袋の形状としなければならない。しかし、これによれば、延設部分の突出量が大きくなり、製造コストが嵩むとともに包装袋の取り扱いが困難になるおそれがある。また、手の平や手の甲も各指と同じように延設部分にフィットした状態となり、手全体を包装袋から抜き取ることが困難となるおそれがある。
【００１８】
これに対し、本考案の包装袋において、「前記指挿入部は、
前記袋本体の側部から延設され、親指が挿入される側部側挿入部と、
前記袋本体の底部から延設され、前記親指以外の四本の指が夫々挿入される四つの底部側挿入部と
からなる」構成とすることができる。
【００１９】
これによれば、親指は、袋本体の側部から延設された側部側挿入部に挿入され、親指以外の四本の指は、袋本体の底部から延設された四つの底部側挿入部に挿入されるようになっている。このため、袋本体の底部側（底部及び側部）から延設される部分を、指のみが挿入されるように（すなわち手の平や手の甲が挿入されないように）構成することができる。したがって、延設部分の突出量を小さく抑えることが可能になるとともに、手の平や手の甲にフィットしない分だけ裏返す際の摩擦抵抗が小さくなり、円滑に裏返すことが可能になる。
【考案の効果】
【００２０】
このように、本考案の包装袋によれば、物品を、手で直接掴むように、簡単に掴み取ることができる。また、掴み取る物品の形態を明確に視認させることができ、掴み取り易さを大幅に高めることができる。
【図面の簡単な説明】
【００２１】
【図１】本実施形態の包装袋の正面図、特に包装袋の要部を断面で示す正面図である。
【図２】包装袋の使用方法を示す説明図である。
【図３】他の例の包装袋を示す正面図である。
【考案を実施するための形態】
【００２２】
以下、本実施形態の包装袋１について、図１に基づき説明する。本例の包装袋１は、軟質性の樹脂、例えば塩化ビニルやポリエチレンで一体成形されたものであり、正面視形状が長方形の袋本体２と、袋本体２の底部２ｄから下方に延設された指挿入部３とから構成されている。
【００２３】
袋本体２は、前側シート２ａ及び後側シート２ｂから袋状に構成されており、開放された上端２ｃ側をめくって裏返すことにより、内部に物品（例えばパンや惣菜等の食品Ｓ（図２参照）を収容させることが可能になっている。なお、袋本体２の大きさは、収容する物品の大きさに合せて適切な大きさとすればよいが、裏返す前に使用者の手Ｈ（図２参照）が挿入されるため、少なくとも手Ｈよりも大きくする必要がある。
【００２４】
指挿入部３は、前側シート２ａ及び後側シート２ｂが延設されることにより袋状に構成されており、袋本体２の底部２ｄに連通し、手Ｈの指Ｙ（図２参照）の輪郭形状を象った形状となっている。つまり、指挿入部３は、親指の形状である親指部３ａ、人差し指の形状である人差し指部３ｂ、中指の形状である中指部３ｃ、薬指の形状である薬指部３ｄ、及び小指の形状である小指部３ｅを備えており、袋本体２の中から、夫々の指Ｙを、対応する各指挿入部３に挿入させることが可能になっている。なお、図１では右手に対応した形状となっているが、この包装袋１をひっくり返すこと（前側シート２ａ及び後側シート２ｂを反対にすること）、または手のひらを前側シート２ａ側に向けて装着することにより左手に対応した形状となる。つまり、包装袋１には前側（手のひら側）及び後側（手の甲側）の区別がなく、使用者の利き手に拘らず、共通の包装袋１を使用することが可能になっている。
【００２５】
この包装袋１は、インフレーション法によって成形することができる。つまり、まず、原材料を加熱し、空気で吹き上げながら膨張させ、チューブ状のシートを成形する。その後、そのシートを熱断裁によって断裁及び溶着することで、図１の形状の袋に仕上げられる。なお、インフレーション法は、プラスチックフィルムの製造法の一つとして周知の方法であるため、ここでは詳細な説明を省略する。
【００２６】
次に、包装袋１の使用方法について図２に基づき説明する。まず、図２（ａ）に示すように、袋本体２の中に一方の手Ｈ（例えば右手）を入れ、さらに、その奥（底部２ｄ側）に形成された指挿入部３に五本の指Ｙをそれぞれ挿入する。その後、図２（ｂ），（ｃ）に示すように、袋本体２及び指挿入部３を介して、食品Ｓを手Ｈで掴み取る。その後、図２（ｄ）に示すように、図示しない他方の手（例えば左手）で袋本体２の上端２ｃ側をめくり上げるように、食品Ｓを中心に包装袋１を裏返す。すると、食品Ｓが袋本体２の中に収容された状態となる。さらに、その後、食品Ｓを離すように指Ｙの力を抜き、袋本体２の上端２ｃ側をさらにめくり上げれば、図２（ｅ）に示すように、各指Ｙが指挿入部３から自然に抜け、食品Ｓが収容された包装袋１を持ち運ぶことが可能になる。
【００２７】
このように、本実施形態の包装袋１によれば、使用者の各指Ｙが夫々指挿入部３に挿入されるため、各指Ｙが包装袋１にフィットすることになり、包装袋１の中で滑ることなく、食品Ｓを掴むことが可能になる。特に、それぞれの指挿入部３は互いに分かれているため、各指Ｙを夫々別々に動かすことができ、また指挿入部３同士の間に食品Ｓを通したり指挿入部３同士の間で食品Ｓを挟んだりすることも可能になる。したがって、食品Ｓを手で直接握るように、掴み取ることができ、食品Ｓの掴み易さを大幅に高めることができる。さらに、指挿入部３同士の間から食品Ｓの形態を視認させることができるため、手探りでの操作をなくし、使用者に安心感を与えることができる。
【００２８】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００２９】
すなわち、図３（ａ）に示す包装袋１１のように、指挿入部３における指先部分の表面（前側及び後側）に滑止め部５（例えば複数の突起部）を形成し、食品Ｓへの摩擦抵抗を高めるようにしてもよい。これによれば、使用者の利き手に拘らず、食品Ｓを掴む際に、指挿入部３及び食品Ｓ間での滑りが防止されるようになり、例えば魚類など表面が滑りやすいものであっても、掴み損ねることがなく、安定して握ることが可能になる。
【００３０】
また、本実施形態では、指挿入部３を袋本体２の底部２ｄから下方に延設するものを示したが、図３（ｂ）に示す包装袋１２のように、袋本体１３の底部１３ａ近傍の側縁１３ｃから側方に延設するようにしてもよい。これによれば、袋本体１３内に収容する物品（図示しない）が小さなものであっても、上端１３ｂを上にして持ち運ぶ際に、物品が指挿入部１４内に嵌り込む可能性が低減される。
【００３１】
また、図３（ｃ）に示す包装袋１５のように、親指が挿入される親指部１７ａを、袋本体１６における底部１６ａ近傍の側縁１６ｃから延設し、その他の指が挿入される人差し指部１７ｂ、中指部１７ｃ、薬指部１７ｄ、及び小指部１７ｅを、袋本体１６における側縁１６ｃ寄りの底部１６ａから延設するようにしてもよい。また、図３（ｄ）に示す包装袋１８のように、親指が挿入される親指部２０ａを、袋本体１９における底部１９ａ近傍の後側シート１９ｃから延設し、その他の指が挿入される人差し指部２０ｂ、中指部２０ｃ、薬指部２０ｄ、及び小指部２０ｅを、袋本体１９における底部１９ａの中央部分から延設するようにしてもよい。これらの構成によれば、袋本体１６，１９の底部側（底部１６ａ，１９ａ、側縁１６ｃ、後側シート１９ｃ）から延設される部分を指Ｙに対応する部分のみとし、手の平を袋本体１６，１９内に位置させることが可能となる。したがって、延設部分の突出量を小さく抑えることができるとともに、手の平や手の甲が密着しない分だけ裏返す際の摩擦抵抗が小さくなり、一層円滑に裏返すことが可能になる。ここで、親指部１７ａ，２０ａが本考案の側部側挿入部に相当し、人差し指部１７ｂ，２０ｂ、中指部１７ｃ，２０ｃ、薬指部１７ｄ，２０ｄ、及び小指部１７ｅ，２０ｅが本考案の底部側挿入部に相当する。なお、この例では、親指部２０ａを後側シート１９ｃに設けるものを示したが、前側シートに設けるようにすれば、左利き用として使用することが可能となる。
【符号の説明】
【００３２】
１，１１，１２，１５，１８  包装袋
２，１３，１６，１９  袋本体
２ｄ，１３ａ，１６ａ，１９ａ  底部
２ｃ  上端
３，１４，１７，２０  指挿入部
１７ａ，２０ａ  親指部（側部側挿入部）
１７ｂ，２０ｂ  人差し指部（底部側挿入部）
１７ｃ，２０ｃ  中指部（底部側挿入部）
１７ｄ，２０ｄ  薬指部（底部側挿入部）
１７ｅ，２０ｅ  小指部（底部側挿入部）
Ｈ  手
Ｙ  指
Ｓ  食品（物品）
【先行技術文献】
【特許文献】
【００３３】
【特許文献１】特開平１１−１２８０３８号
【図１】
0003171127.tif 000003
【図２】
0003171127.tif 000004
【図３】
0003171127.tif 000005